(57)【特許請求の範囲】
【請求項１】
ヘッド及び土台を設け、且つ前記ヘッド及び土台の間に支持柱を設け、前記ヘッドに上下往復運動可能な針棒を設け、前記土台に水平座標のＸ，Ｙ軸方向に沿って移動可能な生地送り台を設け、また、前記針棒の後方にボタン孔カット装置を設け、前記ボタン孔カット装置は、前記ヘッドの位置に組み付けられる上側ユニット及び前記土台位置に設置される下側ユニットを有し、前記上側ユニットは、前記下側ユニットに合わせて共同作用するハンマーを設け、前記ハンマーは、駆動装置の連動により垂直なＺ軸方向に変位し、前記ハンマーは、更に調節装置の連動により水平なＹ軸方向に変位し、そのうち、前記調節装置は、前記駆動装置に取り付けられる位置決めブロックを有し、前記位置決めブロックは、前記ハンマーと接続する摺動台を可動的に取り付け、前記摺動台は、駆動源の連動により横方向Ｙ軸の変位を行うボタン孔かがり機のボタン孔カット装置のハンマー調節機構であって、  前記摺動台がラックレールを有し、前記ラックレールがギアロッドを噛み合わせ、更に前記ギアロッドにより前記駆動源に連結し、前記駆動装置が前記位置決めブロック、摺動台及びハンマーを連動して同時に上下変位を行う時、前記ギアロッドの長さがラックレール及びギアロッドに噛み合わさった状態を保持するに十分であることを特徴とするボタン孔かがり機のボタン孔カット装置のハンマー調節機構。
【請求項２】
前記駆動源は、ステッピングモータであることを特徴とする請求項１に記載のボタン孔かがり機のボタン孔カット装置のハンマー調節機構。
【請求項３】
前記位置決めブロックと摺動台は、摺動溝及び摺動レールで組み合わさることを特徴とする請求項１に記載のボタン孔かがり機のボタン孔カット装置のハンマー調節機構。
【発明の詳細な説明】
【技術分野】
【０００１】
本発明は、縫製物上にボタン孔を製造するボタン孔かがり機に関し、特に、部品交換を必要とせずに、ただハンマー及びカッターの相対位置を調整することによって、異なる長さのボタン孔を空けることができるボタン孔かがり機に関する。
【背景技術】
【０００２】
図１及び図２に示すように、公知のボタン孔かがり機のボタン孔カット装置は、上下移動する軸部材１０の一端に固定ブロック１１を有し、この固定ブロック１１内に気圧シリンダ１２及び気圧シリンダ１２と連動する摺動機構１３を内蔵し、摺動機構１３は、Ｙ軸方向に沿って自動滑動することができ、この摺動機構１３下端にはハンマー１４が固定される。
【０００３】
この種のボタン孔かがり機が生地に孔を空ける時、先ず、ハンマー１４を右方向へａ１の位置まで横方向移動し、前記ハンマー１４を降下し、下方のカッター１５と共同で生地上にボタン孔１６を空ける。ボタン孔１６の長さＬ２がハンマー１４の長さＬ１より大きい時、ハンマー１４を左側ａ２の位置へ移動した後、再度ハンマー１４を生地上に降下し、前回のボタン孔１６の開孔の長さを増加させる必要がある。但し、２回の開孔の長さが依然としてボタン孔１６の所要な長さＬ２より短い時、生地送り台を矢印ａ方向へ移動し、再度降下させ、３回目の孔空けを行い、所要のボタン孔１６の長さに到達させる。
【０００４】
この種のボタン孔かがり機は、部品交換不要な状況で異なるボタン孔の長さに対して穴あけ作業を行うことができるが、製造するボタン孔の長さが長い時、ハンマーは、２回〜３回の降下を繰り返す必要があり、従って、ボタン孔を製造する全体の作業時間が比較的長く、迅速な作業を行うことができない。
【０００５】
図３に示すように、もう１種の従来のボタン孔かがり機のボタンカット装置は、基板上に設置されるブレード２０を有し、切断ブロック２１を併せて共同作用し、この切断ブロック２１は、駆動ロッド２２の連動を受け、ブレード２０の垂直方向に運動し、更に、ガイドロッド２４を有する水平摺動板２３と組み合わせ、このガイドロッド２４が支持板２５上の摺動支持部２６内を移動し、更に、支持板２５上に柱２７の壁面上に取り付けられ、ステッピングモータ２８を取り付けることに用い、ステッピングモータ２８は、螺子棒２９を駆動部材として水平摺動板２３に接続し、このように、ステッピングモータ２８を調整することによって水平摺動板２３に切断ブロック２１を連動させ、水平位置を変更し、ボタン孔かがり機に１回の切断動作で異なる長さのボタン孔１６を完成させることができる。
【０００６】
しかしながら、この種のボタン孔かがり機の欠陥は、切断ブロックの水平運動を連動する駆動機全体の体積が膨大であり、且つ構成部材の数が多く、また、ヘッド及び土台の間の操作空間の大部分を占有し、製造コストの上昇を招くだけでなく、操作上の不便も招く。
【先行技術文献】
【特許文献】
【０００７】
【特許文献１】国際公開第２００４／０７０１００号
【発明の概要】
【発明が解決しようとする課題】
【０００８】
本発明の目的は、調節装置の設計を簡易化し、機構全体の空間の占有を効率的に減少させ、調節装置が自動及び手動機構の調整に適用され、異なる使用状態に対して最適な設計方式を取ることができるボタン孔かがり機のボタン孔カット装置のハンマー調節機構を提供することにある。
【課題を解決するための手段】
【０００９】
上記の目的を達成する為、本発明のボタン孔かがり機は、ヘッド及び土台を設け、且つ前記ヘッド及び土台の間に支持柱を設け、前記ヘッドに上下往復運動可能な針棒を設け、前記土台に水平座標のＸ，Ｙ軸方向に沿って移動可能な生地送り台を設け、また、前記針棒後方にボタン孔カット装置を設け、前記ボタン孔カット装置は、前記ヘッド位置に組み付けられる上側ユニット及び前記土台位置に設置される下側ユニットを有する。
【００１０】
本発明の上側ユニットは、前記下側ユニットに合わせて共同作用するハンマーを設け、前記ハンマーは、駆動装置の連動により垂直なＺ軸方向に変位し、前記ハンマーは、更に調節装置の連動により水平なＹ軸方向に変位する。そのうち、前記調節装置は、前記駆動装置に取り付けられる位置決めブロックを有し、前記位置決めブロックは、前記ハンマーと接続する摺動台を活動的に取り付け、前記摺動台は、駆動源の連動により横方向Ｙ軸の変位を行い、前記摺動台と位置決めブロックは、摺動溝及び摺動レールで互いに組み合わせられる。
【００１１】
本発明の特長は、摺動台にラックレールを有し、前記ラックレールがギアロッドと噛合い、前記ギアロッドにより前記駆動源に連結する。そのうち、前記駆動源は、前記ヘッドの内部に位置するステッピングモータでもよく、前記ヘッドの外部に局部的に位置する手動調整つまみでもよい。
【００１２】
また、本発明のもう１つの目的は、手動式調節装置が移動長さを表示する機能を有し、且つ移動長さ及び設定縫製長さが符合しない時、警告信号を発生し、警告効果を達成することにある。
【００１３】
上記目的を達成する為、本発明は、更に、ギアロッド上にエンコーダディスク及び前記エンコーダディスクを読み取るエンコーダを設け、前記エンコーダは、更に、表示装置を有する制御器に接続し、前記制御器に移動長さを表示する機能をもたせ、前記制御器の設定縫製長さ及び前記ハンマー調整位置が符合しない時、前記制御器は、更に、警報を発生し、操作者に修正するよう警告する。
【発明の効果】
【００１４】
上記のように、本発明の利点は、調節装置の構成部材の数が従来のボタン孔かがり機より少なく、機構全体の空間の占有を減少し、ボタン孔かがり機全体の製造コストを低減することができ、且つ本発明の調節装置は、自動及び手動機構の調整に適用され、異なる使用状態に対して最適な設計方式を取ることができる。
【図面の簡単な説明】
【００１５】
【図１】従来のボタン孔かがり機の単一のカッターの複数回切断動作の説明図である。
【図２】ボタン孔かがり機がボタン孔を縫製完成する平面図である。
【図３】従来のボタン孔かがり機がステッピングモータを採用し切断ブロックの移動を連動する説明図である。
【図４】本発明のボタン孔かがり機の側面透視図である。
【図５】図４のボタン孔カット装置上側ユニットの局部断面説明図である。
【図６】本発明の自動式調節装置の斜視図である。
【図７】本発明の手動式調節装置の説明図である。
【発明を実施するための形態】
【００１６】
本発明の構造、使用及びその特徴を更に深く明確にし、詳細に認識、理解させる為、好適実施例を挙げ、図面を合わせて以下に詳細に説明する。
【００１７】
図４に示すように、本発明のボタン孔かがり機は、主にヘッド３０と、土台３１と、支持柱３２とを含み、そのうち、前記ヘッド３０は、上軸３３を有し、前記上軸３３一端は、駆動モータ（図示せず）の連動により回転し、他端に上下往復運動可能な針棒３４を設け、且つ前記針棒３４の前端にニードル３５を設ける。前記土台３１の上面に生地送り台３６を配置し、この生地送り台３６は、水平座標のＸ及びＹ軸方向(図６,７参照、水平平面でＸ軸はＹ軸に直交)に移動することができ、且つ前記生地送り台３６上面に２つの押圧板３７を設け、各押圧板３７上にそれぞれ針板３８を設ける。
【００１８】
このほか、前記針棒３４の後方に更に一組のボタン孔カット装置を設け、前記ボタン孔カット装置は、上側ユニット４０及び前記上側ユニット４０を併せて共同作用する下側ユニット５０から構成される。そのうち、上側ユニット４０は、前記ヘッド３０の位置に位置するハンマー４１を有し、且つ前記ハンマー４１は、駆動装置４２の連動によって、垂直なＺ軸方向に変位し、このように、前記ハンマー４１を下方向への運動過程で前記下側ユニット５０のカッター５１と接触作用させることができる。
【００１９】
前記ハンマー４１と駆動装置４２は、調節装置４３により相互に接続し、前記ハンマー４１に前記調節装置４３の連動により、水平のＹ軸方向に変位し、前記ハンマー４１とカッター５１の相対位置を調整し、空けるボタン孔(図２の１６参照)の長さを変化させる。
【００２０】
図面の好適実施例において、本発明の駆動装置４２は、生地を配置する時に駆動することに用いる駆動シリンダ４２１を配置し、前記駆動シリンダ４２１は、気圧シリンダ１２(図１参照)を設けることができ、且つ前記駆動シリンダ４２１一端は、第１支軸４２２により前記土台３１に組み付け固定され、他端は、伸縮ロッド４２３を介して接続アーム４２４と連結し、前記接続アーム４２４は、前記ヘッド３０に固定される第２支軸４２５を中心として自在に回転し、他端は、第３支軸４２６により上下軸４２７に接続する。そのうち、前記上下軸４２７は、前記ヘッド３０に固定されるガイド４２８と相互に被さり合い、前記駆動シリンダ４２１の連動する上記上下軸４２７が行う上下方向の垂直変位を制限することに用いる。
【００２１】
図５及び図６に示すように、本発明の調節装置４３は、上記上下軸４２７底端に取り付けられる位置決めブロック４３１を設け、前記位置決めブロック４３１により前記ハンマー４１と接続する摺動台４３２を活動的に取り付け、前記摺動台４３２は、更に駆動源４３３の連動により横方向Ｙ軸の変位をする。
【００２２】
そのうち、前記位置決めブロック４３１底部に摺動溝４３１ａを有し、前記摺動台４３２上部に前記摺動溝４３１ａと嵌合する摺動レール４３２ａを設け、側面に更に使用者のハンマー４１の更換を便利にするハンマー押圧板４３２ｂを設ける。更に、前記摺動レール４３２ａは、前記摺動溝４３１ａから外向きに局部の長さを延伸し、且つ側辺にラックレール４３２ｃ構造を設け、相互に垂直に噛み合うギアロッド４３４を接続し、前記ギアロッド４３４端部に更にステッピングモータ４３５から構成される駆動源４３３を接続し、このように、前記ヘッド３０(図４参照)内部に位置するステッピングモータ４３５の連動により前記ギアロッド４３４を回転させ、ラックレール４３２ｃの相対位置を変化させ、前記摺動台４３２及び前記位置決めブロック４３１に水平方向の相対変位を発生させる。
【００２３】
また、前記駆動装置４２は、前記位置決めブロック４３１、摺動台４３２及びハンマー４１等の構成部材を連動し、同時に上下移動を行う時、前記ギアロッド４３４の長さは、ラックレール４３２ｃ及びギアロッド４３４に噛み合わさった状態を保持するに十分である。前記ハンマー４１の垂直及び水平移動させてそれぞれ固定位置に位置する駆動ユニットに制御され、相互干渉することがない。
【００２４】
図７に示すように、本発明の調節装置４３は、手動調整つまみ４３６でもよく、前記手動調整つまみ４３６は、前記ヘッド３０に露出するつまみ端４３６ａ及び前記ヘッド３０(図４参照)に内蔵するベベルギア端４３６ｂを有し、この実施例において、前記ギアロッド４３４の上端に前記ベベルギア端４３６ｂに対応して噛み合うベベルギア４３４ａを設け、且つ前記ギアロッド４３４上に同期回転するエンコーダディスク４３７を設け、前記エンコーダディスク４３７周囲にエンコーダ４３８を設置し、回転尺度を読み取り、前記エンコーダ４３８は、表示装置を有する制御器４３９を別途接続し、前記制御器４３９に移動長さを表示する機能をもたせ、且つ前記制御器４３９上に縫製長さ及び前記摺動台４３２が連動するハンマー４１を移動長さが符合しない時、前記制御器４３９は、警報を発生し、操作者に修正するよう警告することができる。
【００２５】
なお、本発明では好ましい実施例を前述の通り開示したが、これらは決して本発明に限定するものではなく、当該技術を熟知する者が本発明の精神と領域を逸脱しない均等の範囲内で施した各種の変更や修正は勿論本発明特許請求の範囲に含まれる。
【符号の説明】
【００２６】
[従来技術]
１０  軸部材
１１  固定ブロック
１２  気圧シリンダ
１３  摺動機構
１４  ハンマー
１５  カッター
１６  ボタン孔
２０  ブレード
２１  切断ブロック
２２  駆動ロッド
２３  水平摺動板
２４  ガイドロッド
２５  支持板
２６  摺動支持部
２７  柱
２８  ステッピングモータ
２９  螺子棒
[本発明]
３０  ヘッド
３１  土台
３２  支持柱
３３  上軸
３４  針棒
３５  ニードル
３６  生地送り台
３７  押圧板
３８  針板
４０  上側ユニット
４１  ハンマー
４２  駆動装置
４２１  駆動シリンダ
４２２  第１支軸
４２３  伸縮ロッド
４２４  接続アーム
４２５  第２支軸
４２６  第３支軸
４２７  上下軸
４２８  ガイド
４３  調節装置
４３１  位置決めブロック
４３１ａ  摺動溝
４３２  摺動台
４３２ａ  摺動レール
４３２ｂ  ハンマー押圧板
４３２ｃ  ラックレール
４３３  駆動源
４３４  ギアロッド
４３４ａ  ベベルギア
４３５  ステッピングモータ
４３６  手動調整つまみ
４３６ａ  つまみ端
４３６ｂ  ベベルギア端
４３７  エンコーダディスク
４３８  エンコーダ
４３９  制御器
５０  下側ユニット
５１  カッター
【図１】
0005981491.tif 000002
【図２】
0005981491.tif 000003
【図３】
0005981491.tif 000004
【図４】
0005981491.tif 000005
【図５】
0005981491.tif 000006
【図６】
0005981491.tif 000007
【図７】
0005981491.tif 000008